(57)【要約】      （修正有）【課題】環状部材を軽量で簡単に梱包することができ、環状部材に傷をつけることなく、容易に環状部材を取り出しでき、従来のように梱包部材がゴミとなることもなく、再利用可能で環境に優しい環状部材の梱包部材を提供する。【解決手段】梱包部材１０は、長手方向の両側端が開口するとともに、短手方向の一端で脱着自在に封止可能な長尺状の袋状であり、梱包部材１０で環状部材３０を梱包する際には、梱包部材１０の一端の封止部２０を開いて、環状部材３０を梱包部材１０中に挿着するとともに、梱包部材１０の一方の側片１０ａと、他方の側片１０ｂとで、環状部材３０を被包するようにして、一端を合わせて、一端で封止し、梱包部材１０の両側端の開口部１６を重ね合わせるよう構成されている。【選択図】図４
0003188260.tif 000002
【実用新案登録請求の範囲】
【請求項１】
環状部材の梱包部材であって、
前記梱包部材は、
長手方向の両側端が開口するとともに、短手方向の一端で脱着自在に封止可能な長尺状の袋状であり、
前記梱包部材で環状部材を梱包する際には、
前記梱包部材の短手方向の一端の封止部を開いて、環状部材を梱包部材中に挿着するとともに、
前記梱包部材の一方の側片と、他方の側片とで、環状部材を被包するようにして、短手方向の一端を合わせて、前記一端で封止し、
前記梱包部材の両側端の開口部を重ね合わせるよう構成されていることを特徴とする環状部材の梱包部材。
【請求項２】
前記梱包部材の短手方向の一端が、ファスナーで脱着自在に封止可能に構成されていることを特徴とする請求項１に記載の環状部材の梱包部材。
【請求項３】
環状部材の梱包部材であって、
前記梱包部材は、
一対の第１の梱包部材と第２の梱包部材とから構成され、
前記第１の梱包部材は、環状部材を挟んで一方側に位置する長尺状であり、
前記第２の梱包部材は、環状部材を挟んで他方側に位置する長尺状であり、
前記梱包部材で環状部材を梱包する際には、
前記環状部材を挟んで被包するように、第１の梱包部材と第２の梱包部材とを重ね合わせて、第１の梱包部材と第２の梱包部材との短手方向の一端同士と短手方向の他端同士とを脱着自在に封止するとともに、
前記梱包部材の両側端の開口部を重ね合わせるよう構成されていることを特徴とする環状部材の梱包部材。
【請求項４】
環状部材の梱包部材であって、
前記梱包部材は、
一対の第１の梱包部材と第２の梱包部材とから構成され、
前記第１の梱包部材は、環状部材を挟んで一方側に位置する環状であり、
前記第２の梱包部材は、環状部材を挟んで他方側に位置する環状であり、
前記梱包部材で環状部材を梱包する際には、
前記環状部材を挟んで被包するように、第１の梱包部材と第２の梱包部材とを重ね合わせて、第１の梱包部材と第２の梱包部材との短手方向の一端同士と短手方向の他端同士とを脱着自在に封止するよう構成されていることを特徴とする環状部材の梱包部材。
【請求項５】
前記第１の梱包部材と第２の梱包部材との短手方向の一端同士と短手方向の他端同士とが、ファスナーで脱着自在に封止可能に構成されていることを特徴とする請求項３または４に記載の環状部材の梱包部材。
【請求項６】
前記環状部材が、環状のガスケットであることを特徴とする請求項１から５のいずれかに記載の環状部材の梱包部材。
【考案の詳細な説明】
【技術分野】
【０００１】
本考案は、例えば、ガスケット、Ｏリング、コイルなどの環状部材の梱包部材に関する。
【背景技術】
【０００２】
従来、このような環状部材、特に、機器類や大口径の配管に使用される大口径のうず巻き形ガスケットでは、運搬の際に、ガスケットが破損損傷しないように、ガスケットを、例えば、大きな寸法の袋に、ガスケット全体を入れて梱包する方法が採用されている。
【０００３】
さらに、ガスケットを、紙テープや合成樹脂製の長尺状のテープを用いて、ガスケットに対して螺旋状に、いわゆるゲートル巻きにて巻き付けて梱包して、ダンボール箱に入れるか、木枠などで挟み込んで梱包する方法が採用されている。
【０００４】
また、特許文献１（特許第２６７５２４６号公報）では、ヒートシール性を有する熱収縮性梱包部材よりなる環状包装体が開示されている。
すなわち、特許文献１では、環状の被包装物の外周面に、この外周面より幅広の熱収縮性梱包部材のシートを、そのシートの収縮軸が被包装物の周方向と一致するように密着巻きして接合して、被包装物の外周面に密着した梱包部材の筒状体を形成している。
【０００５】
そして、この筒状体を加熱して、その両端部を、それぞれ被包装物の両側面に沿って収縮させ、これによって被包装物の両側面に、その内径より小径の筒状体開口を有する中間包装体を形成し、この中間包装体の両側方から、被包装物の内周面に沿って環状のシール面を有するリングシーラーを挿入し、このシール面によって、筒状体の両端部を挟圧融着して環状のシーム部を形成して梱包している。
【０００６】
さらに、特許文献２（特許第３３２０６６４号公報）では、一対の環状の挟持体のうち、一方の挟持体にガスケットを第１のバンド部材で結束し、次に、ガスケットを挟み込むように、他方の挟持体を抱き合わせて、両挟持体を第２のバンド部材で結束して、梱包する構成が開示されている。
【先行技術文献】
【特許文献】
【０００７】
【特許文献１】特許第２６７５２４６号公報
【特許文献２】特許第３３２０６６４号公報
【考案の概要】
【考案が解決しようとする課題】
【０００８】
しかしながら、このような従来の梱包方法のうち、大きな寸法の袋に、ガスケット全体を入れて梱包する方法では、ガスケットの寸法が大型になると、ガスケットの内径側に位置する袋に対して、風圧を受けるため、持ち運びに不便である。
【０００９】
さらに、いわゆるゲートル巻きにて巻き付けて梱包する方法では、環状部材であるガスケットの曲面を、一定の重ね代を維持しながら、テープで螺旋状に巻き進めるので、手間がかかるとともに、ずれや緩みが生じやすくなる。その結果、運搬などの取り扱い中に、梱包がほどけてガスケットが露出してしまい、破損損傷するおそれがある。
【００１０】
また、このゲートル巻きの場合には、梱包部材を取り外すのにも手間がかかったり、ハサミで切り取る際はガスケットに傷がついたり、ゴミが散乱するという問題があった。
さらに、特許文献１のような梱包方法では、上記のように、被包装物の外周面に密着した梱包部材の筒状体を形成する工程、収縮工程、リングシーラーを挿入して融着する工程などの複雑な工程が必要であり、手間がかかることになる。
【００１１】
また、同一寸法の被包装物を梱包する場合は、大量処理ができ適しているが、多彩な寸法を対象とするガスケットのような製品には、寸法毎にリングシーラーなどの型を要するため実用に適さない。
【００１２】
また、特許文献２においても、第１のバンド部材による一方の挟持体とガスケットに結束、第２のバンド部材による両挟持体の結束など複雑で手間がかかる工程が必要となる。
本考案は、このような現状に鑑み、環状部材を軽量で簡単に梱包することができ、環状部材に傷をつけることなく、容易に環状部材を取り出すことができ、また、従来のように梱包部材がゴミとなることもなく、再利用可能で環境に優しく、さらには、ガスケットなどにおいて、防錆油が落下したり、運搬の際に他に付着しないように包装できる環状部材の梱包部材を提供することを目的とする。
【課題を解決するための手段】
【００１３】
本考案は、前述したような従来技術における課題及び目的を達成するために考案されたものであって、
本考案の環状部材の梱包部材は、
長手方向の両側端が開口するとともに、短手方向の一端で脱着自在に封止可能な長尺状の袋状であり、
前記梱包部材で環状部材を梱包する際には、
前記梱包部材の短手方向の一端の封止部を開いて、環状部材を梱包部材中に挿着するとともに、
前記梱包部材の一方の側片と、他方の側片とで、環状部材を被包するようにして、短手方向の一端を合わせて、前記一端で封止し、
前記梱包部材の両側端の開口部を重ね合わせるよう構成されていることを特徴とする。
【００１４】
このように、両側端が開口するとともに、短手方向の一端、例えば、上端で脱着自在に封止可能な長尺状の袋状の梱包部材を準備して、梱包部材の上端の封止部を開いて、環状部材を梱包部材中に挿着する。
【００１５】
そして、例えば、梱包部材の環状部材の外径側に位置する一方の側片と、環状部材の内径側に位置する他方の側片とで、環状部材を被包するようにして、上端を合わせて、上端で封止し、梱包部材の両側端の開口部を重ね合わせるだけで、環状部材を梱包することできる。
【００１６】
従って、従来のように、手間や煩雑な工程が不要で、環状部材を軽量で簡単に梱包することができる。
しかも、環状部材を取り出すには、上端の脱着自在に封止した部分において、その封止状態を解除するだけで、環状部材に傷をつけることなく、梱包部材を容易に取り外すことができ、使用者において安全且つ迅速な作業性を得ることで、経済的にも優位である。
【００１７】
また、この際、梱包部材がゴミとなることもなく、再利用可能で環境に優しく、さらには、ガスケットなどにおいて、防錆油が落下したり、運搬の際に他に付着しないように包装できる環状部材の梱包部材を提供することができる。
【００１８】
なお、この場合、短手方向の一端は、上端に限定されるものではなく、下端であってもよい。
また、梱包部材の一方の側片が、環状部材の外径側に位置し、環状部材の他方の側片が、内径側に位置する以外にも、梱包部材の一方の側片が、環状部材の上面側または下面側に位置し、環状部材の他方の側片が、梱包部材の一方の側片と環状部材を挟んで対峙するように、環状部材の下面側または上面側に位置するようにして、短手方向の一端を環状部材の内径側または外径側に位置させて封止するようにすることも可能である。
【００１９】
さらに、梱包部材の一方の側片が、環状部材の斜めに外径側に位置し、梱包部材の他方の側片が、環状部材を挟んで対峙するように、環状部材の斜めに内径側に位置するようにすることももちろん可能である。
【００２０】
また、本考案の環状部材の梱包部材は、
前記梱包部材の短手方向の一端が、ファスナーで脱着自在に封止可能に構成されていることを特徴とする。
このように、梱包部材の短手方向の一端、例えば、上端が、ファスナーで脱着自在に封止可能に構成されているので、ファスナーを開閉するだけで良いので、梱包部材での環状部材の梱包、取り外し作業が容易となる。
【００２１】
また、本考案の環状部材の梱包部材は、
一対の第１の梱包部材と第２の梱包部材とから構成され、
前記第１の梱包部材は、環状部材を挟んで一方側に位置する長尺状であり、
前記第２の梱包部材は、環状部材を挟んで他方側に位置する長尺状であり、
前記梱包部材で環状部材を梱包する際には、
前記環状部材を挟んで被包するように、第１の梱包部材と第２の梱包部材とを重ね合わせて、第１の梱包部材と第２の梱包部材との短手方向の一端同士と短手方向の他端同士とを脱着自在に封止するとともに、
前記梱包部材の両側端の開口部を重ね合わせるよう構成されていることを特徴とする。
【００２２】
このように、環状部材を挟んで一方側に位置する長尺状の第１の梱包部材と、環状部材を挟んで他方側に位置する長尺状の第２の梱包部材とを準備して、環状部材を挟んで被包するように、第１の梱包部材と第２の梱包部材とを重ね合わせる。
【００２３】
そして、第１の梱包部材と第２の梱包部材との短手方向の一端同士と短手方向の他端同士とを脱着自在に封止するとともに、梱包部材の両側端の開口部を重ね合わせるだけで、環状部材を梱包することできる。
【００２４】
従って、従来のように、手間や煩雑な工程が不要で、環状部材を軽量で簡単に梱包することができる。
しかも、環状部材を取り出す際には、第１の梱包部材と第２の梱包部材との短手方向の一端同士と短手方向の他端同士、例えば、上端または下端の脱着自在に封止した部分において、その封止状態を解除するだけで、環状部材に傷をつけることなく、梱包部材を容易に取り外すことができ、使用者において安全且つ迅速な作業性を得ることで、経済的にも優位である。
【００２５】
また、この際、梱包部材がゴミとなることもなく、再利用可能で環境に優しく、さらには、ガスケットなどにおいて、防錆油が落下したり、運搬の際に他に付着しないように包装できる環状部材の梱包部材を提供することができる。
【００２６】
また、本考案の環状部材の梱包部材は、
一対の第１の梱包部材と第２の梱包部材とから構成され、
前記第１の梱包部材は、環状部材を挟んで一方側に位置する環状であり、
前記第２の梱包部材は、環状部材を挟んで他方側に位置する環状であり、
前記梱包部材で環状部材を梱包する際には、
前記環状部材を挟んで被包するように、第１の梱包部材と第２の梱包部材とを重ね合わせて、第１の梱包部材と第２の梱包部材との短手方向の一端同士と短手方向の他端同士とを脱着自在に封止するよう構成されていることを特徴とする。
【００２７】
このように、環状部材を挟んで一方側に位置する環状の第１の梱包部材と、環状部材を挟んで他方側に位置する環状の第２の梱包部材とを準備して、環状部材を挟んで被包するように、第１の梱包部材と第２の梱包部材とを重ね合わせる。
【００２８】
そして、第１の梱包部材と第２の梱包部材との短手方向の一端同士と短手方向の他端同士、例えば、上端同士と下端同士とを脱着自在に封止するだけで、環状部材を梱包することできる。
【００２９】
しかも、予め、第１の梱包部材と第２の梱包部材が環状であるので、梱包部材の両側端の開口部が存在しないので、梱包部材の両側端の開口部を重ね合わせる作業が不要で、第１の梱包部材と第２の梱包部材との短手方向の一端同士と短手方向の他端同士、例えば、上端同士と下端同士とを脱着自在に簡単に封止することができる。
【００３０】
従って、従来のように、手間や煩雑な工程が不要で、環状部材を軽量で簡単に梱包することができる。
しかも、環状部材を取り出す際には、第１の梱包部材と第２の梱包部材との短手方向の一端同士と短手方向の他端同士、例えば、上端同士と下端同士の脱着自在に封止した部分において、その封止状態を解除するだけで、環状部材に傷をつけることなく、梱包部材を容易に取り外すことができ、使用者において安全且つ迅速な作業性を得ることで、経済的にも優位である。
【００３１】
また、この際、梱包部材がゴミとなることもなく、再利用可能で環境に優しく、さらには、ガスケットなどにおいて、防錆油が落下したり、運搬の際に他に付着しないように包装できる環状部材の梱包部材を提供することができる。
【００３２】
また、本考案の環状部材の梱包部材は、
前記第１の梱包部材と第２の梱包部材との短手方向の一端同士と短手方向の他端同士とが、ファスナーで脱着自在に封止可能に構成されていることを特徴とする。
【００３３】
このように、第１の梱包部材と第２の梱包部材との短手方向の一端同士と短手方向の他端同士、例えば、上端同士と下端同士とが、ファスナーで脱着自在に封止可能に構成されているので、ファスナーを開閉するだけで良いので、梱包部材での環状部材の梱包、取り外し作業が容易となる。
【００３４】
なお、この場合、第１の梱包部材が、環状部材の外径側または内径側に位置し、第２の梱包部材が、第１の梱包部材と環状部材を挟んで対峙するように、環状部材の内径側または外径側に位置していても良い。
【００３５】
また、梱包部材の第１の梱包部材が、環状部材の上面側または下面側に位置し、第１の梱包部材と環状部材を挟んで対峙するように、梱包部材の第２の梱包部材が、環状部材の下面側または上面側に位置するようにして、短手方向の一端同士と短手方向の他端同士を環状部材の内径側または外径側に位置させて封止するようにすることも可能である。
【００３６】
さらに、梱包部材の第１の梱包部材が、環状部材の斜めに外径側に位置し、梱包部材の第２の梱包部材が、環状部材を挟んで対峙するように、環状部材の斜めに内径側に位置するようにすることももちろん可能である。
【００３７】
また、本考案の環状部材の梱包部材は、
前記環状部材が、環状のガスケットであることを特徴とする。
このように環状部材が、環状のガスケットであるのが好適である。
【考案の効果】
【００３８】
本考案によれば、従来のように、手間や煩雑な工程が不要で、環状部材を軽量で簡単に梱包することができる。
しかも、環状部材を取り出す際には、上端または下端の脱着自在に封止した部分において、その封止状態を解除するだけで、環状部材に傷をつけることなく、梱包部材を容易に取り外すことができ、使用者において安全且つ迅速な作業性を得ることで、経済的にも優位である。
【００３９】
また、この際、梱包部材がゴミとなることもなく、再利用可能で環境に優しく、さらには、ガスケットなどにおいて、防錆油が落下したり、運搬の際に他に付着しないように包装できる環状部材の梱包部材を提供することができる。
【図面の簡単な説明】
【００４０】
【図１】図１は、本考案の環状部材の梱包部材を開いた状態の平面図である。
【図２】図２は、本考案の環状部材の梱包部材の閉じた状態の正面図である。
【図３】図３は、本考案の環状部材の梱包部材の閉じた状態の斜視図である。
【図４】図４は、本考案の環状部材の梱包部材を説明する概略図である。
【図５】図５は、本考案の環状部材の梱包部材を説明する概略図である。
【図６】図６は、本考案の環状部材の梱包部材を説明する概略図である。
【図７】図７は、本考案の環状部材の梱包部材を説明する概略図である。
【図８】図８は、本考案の別の実施例の環状部材の梱包部材の部分拡大斜視図である。
【図９】図９は、図８の梱包部材を説明する概略図である。
【図１０】図１０は、本考案の環状部材の梱包部材を説明する概略図である。
【図１１】図１１は、本考案の環状部材の梱包部材を説明する概略図である。
【図１２】図１２は、本考案の別の実施例の環状部材の梱包部材の斜視図である。
【図１３】図１３は、図１２の梱包部材を説明する概略図である。
【図１４】図１４は、本考案の別の実施例の環状部材の梱包部材を模式的に示す概略図である。
【考案を実施するための形態】
【００４１】
以下、本考案の実施の形態（実施例）を図面に基づいてより詳細に説明する。
図１は、本考案の環状部材の梱包部材を開いた状態の平面図、図２は、本考案の環状部材の梱包部材の閉じた状態の正面図、図３は、本考案の環状部材の梱包部材の閉じた状態の斜視図、図４〜図７は、本考案の環状部材の梱包部材を説明する概略図である。
【００４２】
図１〜図４において、符号１０は、全体で本考案の環状部材の梱包部材を示している。
図１〜図３に示したように、梱包部材１０は、長尺状の袋状の梱包部材であって、長手方向の両側端１２、１４が、開口して開口部１６、１８が形成されている。そして、短手方向の一端、例えば、梱包部材１０の上端１１には、脱着自在に封止可能な封止部２０が形成されている。
【００４３】
すなわち、図１に示したように、一方の側片１０ａには、メス突設部２４が形成されており、このメス突設部２４に溝部２２が形成されている。一方、他方の側片１０ｂには、オス突設部２６が形成されており、このオス突設部２６は、メス突設部２４の溝部２２に脱着自在に係合するように構成されている。
【００４４】
そして、封止部２０は、これらのメス突設部２４とオス突設部２６とから構成され、ファスナー２８を形成している。
なお、このファスナー２８としては、上記のように、メス突設部２４とオス突設部２６から構成する以外にも、梱包部材１０の材質に応じて、例えば、粘着シート、面ファスナーなどの公知のファスナーを用いることができる。
【００４５】
この場合、梱包部材１０は、その材質としては、特に限定されるものではなく、例えば、ポリエチレン、ポリプロピレン、ポリエチレンテレフタレート、塩化ビニルなどの合成樹脂を用いることができる。なお、梱包部材１０の材質としては、上記のように合成樹脂の他、環状部材３０の種類に応じて、紙、不織布、織布、ゴムなどを用いることもできる。
【００４６】
また、透明であっても、不透明であっても、半透明であっても良いが、透明または半透明であるのが、後述する梱包作業が容易になるので望ましい。
また、梱包部材１０の寸法、厚さも、特に限定されるものではなく、梱包しようとする環状部材の寸法、種類に応じて適宜選択すれば良い。
【００４７】
このように構成される梱包部材１０を用いて、環状部材３０を梱包する方法について、以下に、図４〜図７に基づいて説明する。
なお、環状部材３０としては、例えば、ガスケット、Ｏリング、コイルなどの環状部材であれば良く、特に限定されるものではない。
【００４８】
先ず、図４に示したように、梱包部材１０の上端１１の封止部２０を開いて、上方より環状部材３０を梱包部材１０中に挿着する。
そして、図４の矢印で示したように、梱包部材１０の環状部材３０の外径側３０ａに位置する外径側の側片１０ａと、環状部材３０の内径側３０ｂに位置する内径側の側片１０ｂとで、環状部材３０を被包するようにして、上端１１を合わせる（図５参照）。
【００４９】
この状態で、図６に示したように、上端１１に形成された封止部２０のファスナー２８の一方の側片１０ａに形成されたメス突設部２４の溝部２２に、他方の側片１０ｂに形成されたオス突設部２６を係合させて、上端１１で封止する。
【００５０】
一方、図７に示したように、梱包部材１０の両側端１２、１４の開口部１６、１８を、図７の斜線で示したように、重ね合わせるようにして（符号１５）、環状部材３０の全体を被包するようにして梱包すれば梱包作業が完了する。
【００５１】
この際、図示しないが、必要に応じて、梱包部材１０の両側端１２、１４の開口部１６、１８を重ね合わせた部分１５を、例えば、商品タグ、ゴムバンド、針金、ひもなどで結束したり、超音波溶着、レーザー溶着などで溶着するようにしても良い。
【００５２】
これにより、梱包部材１０より環状部材３０が露出することがないので、ガスケットなどにおいて、防錆油が落下したり、ガスケットなどの場合に空気などによって防錆油が酸化したり、金属ガスケットが酸化して腐食したり、ゴム製のガスケットが劣化するのを防止することができる。
【００５３】
なお、この場合、環状部材３０を梱包部材１０で梱包した後、梱包部材１０の内部の空気を吸引して、真空状態で環状部材３０を梱包部材１０で被包密着させることも可能である。
【００５４】
これにより、梱包部材１０と環状部材３０が一体となり、取扱い性に優れるとともに、例えば、ガスケットなどの場合に空気などによって防錆油が酸化したり、金属ガスケットが酸化して腐食したり、ゴム製のガスケットが劣化するのを防止することができる。
【００５５】
このように構成することによって、従来のように、手間や煩雑な工程が不要で、環状部材３０を軽量で簡単に梱包することができる。
しかも、環状部材３０を取り出す際には、梱包部材１０の上端１１の封止部２０のファスナー２８を操作して、その封止状態を解除するだけで、環状部材３０に傷をつけることなく、梱包部材１０を容易に取り外すことができる。このように、梱包部材１０の上端１１が、ファスナー２８で脱着自在に封止可能に構成されているので、ファスナー２８を開閉するだけで良いので、梱包部材１０での環状部材３０の梱包、取り外し作業が容易となる。
【００５６】
また、この際、梱包部材１０がゴミとなることもなく、再利用可能で環境に優しく、さらには、ガスケットなどにおいて、防錆油が落下したり、運搬の際に他に付着しないように包装できる。
【００５７】
さらに、図４で符号のみで示し、図示しないが、梱包部材１０が、メス突設部２４が形成されている面（表面）の反対面（裏面）の略同位置に、オス突設部２６´が形成され、オス突設部２６が形成されている面（表面）の反対面（裏面）の略同位置に、メス突設部２４´が形成されていても良い。
【００５８】
これにより、図７に示したように、梱包部材１０の両側端１２、１４の開口部１６、１８を図７の斜線で示したように、開口部１８が外側にくるように重ね合わせた（符合１５）場合、開口部１６に形成されたオス突設部２６´と開口部１８に形成されたメス突設部２４とを係合し、開口部１６に形成されたメス突設部２４´と開口部１８に形成されたオス突設部２６とを係合でき、容易に着脱が可能となる。
【００５９】
なお、この場合、ファスナー２８が形成されている短手方向の一端は、上端１１に限定されるものではなく、下端であってもよい。
また、梱包部材１０の一方の側片１０ａが、環状部材３０の外径側に位置し、環状部材３０の他方の側片１０ｂが、内径側に位置する以外にも、図示しないが、梱包部材１０の一方の側片１０ａが、環状部材３０の上面側または下面側に位置し、環状部材３０の他方の側片が、梱包部材１０の一方の側片１０ａと環状部材３０を挟んで対峙するように、環状部材３０の下面側または上面側に位置するようにして、短手方向の一端を環状部材３０の内径側または外径側に位置させて封止するようにすることも可能である。
【００６０】
さらに、図示しないが、梱包部材１０の一方の側片１０ａが、環状部材３０の斜めに外径側に位置し、環状部材３０の他方の側片が、環状部材３０を挟んで対峙するように、環状部材３０の斜めに内径側に位置するようにすることももちろん可能である。
【００６１】
図８は、本考案の別の実施例の環状部材の梱包部材の部分拡大斜視図、図９〜図１１は、図８の梱包部材を説明する概略図である。
【００６２】
この実施例の梱包部材１０は、図１〜図４に示した実施例の梱包部材１０と基本的には同様な構成であり、同一の構成部材には、同一の参照番号を付して、その詳細な説明を省略する。
【００６３】
この実施例の梱包部材１０は、図８に示したように、一対の第１の梱包部材を構成する外径側梱包部材１０ａと、第２の梱包部材を構成する内径側梱包部材１０ｂとから構成されるものである。
【００６４】
そして、梱包部材１０の上端１１には、脱着自在に封止可能な封止部２０が形成されている。
すなわち、図８に示したように、一方の外径側梱包部材１０ａには、メス突設部２４が形成されており、このメス突設部２４に溝部２２が形成されている。一方、他方の内径側梱包部材１０ｂには、オス突設部２６が形成されており、このオス突設部２６は、メス突設部２４の溝部２２に脱着自在に係合するように構成されている。
【００６５】
そして、封止部２０は、これらのメス突設部２４とオス突設部２６とから構成され、ファスナー２８を形成している。
また、図８に示したように、梱包部材１０の下端１３には、上端１１に形成された封止部２０と同様な構成の封止部２０から構成されるファスナー２８が形成されている。
【００６６】
但し、梱包部材１０の下端１３では、外径側梱包部材１０ａには、オス突設部２６が形成されており、内径側梱包部材１０ｂには、メス突設部２４が形成されており、上下では逆の構成になっている。
【００６７】
これにより、外径側梱包部材１０ａ、内径側梱包部材１０ｂのいずれか一方を用意して、これを上下左右方向に反転して使用することで、もう一方の梱包部材として使用できるようになっている。
【００６８】
このように構成される梱包部材１０を用いて、環状部材３０を梱包する方法について、以下に、図９〜図１１に基づいて説明する。
先ず、図９に示したように、環状部材３０の外径側３０ａに、外径側梱包部材１０ａを位置させるとともに、環状部材３０の内径側３０ｂに、内径側梱包部材１０ｂに位置させる。
【００６９】
そして、図９の矢印で示したように、梱包部材１０の環状部材３０の外径側３０ａに位置する外径側梱包部材１０ａと、環状部材３０の内径側３０ｂに位置する内径側梱包部材１０ｂとで、環状部材３０を被包するようにして、上端１１同士と下端１３同士を合わせる。
【００７０】
この状態で、図１０に示したように、上端１１に形成された封止部２０のファスナー２８の外径側梱包部材１０ａに形成されたメス突設部２４の溝部２２に、内径側梱包部材１０ｂに形成されたオス突設部２６を係合させて、上端１１で封止する。
【００７１】
同様に、下端１３に形成された封止部２０のファスナー２８の外径側梱包部材１０ａに形成されたオス突設部２６を、内径側梱包部材１０ｂに形成されたメス突設部２４の溝部２２に係合させて、下端１３で封止する。
【００７２】
一方、図１１に示したように、梱包部材１０の両側端１２、１４の開口部１６、１８を、重ね合わせるようにして（符号１５）、環状部材３０の全体を被包するようにして梱包すれば梱包作業が完了する。
【００７３】
この際、必要に応じて、梱包部材１０の両側端１２、１４の開口部１６、１８を重ね合わせた部分を、例えば、商品タグ、ゴムバンド、針金、ひもなどで結束したり、超音波溶着、レーザー溶着などで溶着するようにしても良い。
【００７４】
これにより、梱包部材１０より環状部材３０が露出することがないので、ガスケットなどにおいて、防錆油が落下したり、ガスケットなどの場合に空気などによって防錆油が酸化したり、金属ガスケットが酸化して腐食したり、ゴム製のガスケットが劣化するのを防止することができる。
【００７５】
なお、この場合、環状部材３０を梱包部材１０で梱包した後、梱包部材１０の内部の空気を吸引して、真空状態で環状部材３０を梱包部材１０で被包密着させることも可能である。
【００７６】
これにより、梱包部材１０と環状部材３０が一体となり、取扱い性に優れるとともに、例えば、ガスケットなどの場合に空気などによって防錆油が酸化したり、金属ガスケットが酸化して腐食したり、ゴム製のガスケットが劣化するのを防止することができる。
【００７７】
このように構成することによって、外径側梱包部材１０ａと内径側梱包部材１０ｂとの上端１１同士と下端１３同士とを脱着自在に封止するとともに、梱包部材１０の両側端１２、１４の開口部１６、１８を重ね合わせるだけで、環状部材３０の梱包することできる。
【００７８】
従って、従来のように、手間や煩雑な工程が不要で、環状部材を軽量で簡単に梱包することができる。
しかも、環状部材３０を取り出す際には、上端１１または下端１３の脱着自在に封止した封止部２０のファスナー２８を操作して、その封止状態を解除するだけで、環状部材３０に傷をつけることなく、梱包部材１０を容易に取り外すことができる。
【００７９】
また、この際、梱包部材１０がゴミとなることもなく、再利用可能で環境に優しく、さらには、ガスケットなどにおいて、防錆油が落下したり、運搬の際に他に付着しないように包装できる。
【００８０】
さらに、図８で符号のみで示し、図示しないが、梱包部材１０が、メス突設部２４が形成されている面（表面）の反対面（裏面）の略同位置に、オス突設部２６´が形成され、オス突設部２６が形成されている面（表面）の反対面（裏面）の略同位置に、メス突設部２４´が形成されていても良い。
【００８１】
これにより、図１１に示したように、梱包部材１０の両側端１２、１４を斜線で示したように重ね合わせた（符合１５）場合、外径側梱包部材１０ａの上部では、内径側梱包部材１０ｂと接合する内側面（表面）に形成されたメス突設部２４と、反対面（裏面）に形成されたオス突設部２６´とが係合し、外径側梱包部材１０ａの下部では、内径側梱包部材１０ｂと接合する内側面（表面）に形成されたオス突設部２６と、反対面（裏面）に形成されたメス突設部２４´とが係合できる。
【００８２】
同様に、内径側梱包部材１０ｂの上部では、外径側梱包部材１０ａと接合する内側面（表面）に形成されたメス突設部２４と、反対面（裏面）に形成されたオス突設部２６´とが係合し、内径側梱包部材１０ｂの下部では、外径側梱包部材１０ａと接合する内側面（表面）に形成されたオス突設部２６と、反対面（裏面）に形成されたメス突設部２４´とが係合できる。
【００８３】
これにより、さらに容易に着脱が可能となる。
図１２は、本考案の別の実施例の環状部材の梱包部材の斜視図、図１３は、図１２の梱包部材を説明する概略図である。
【００８４】
この実施例の梱包部材１０は、図８〜図１１に示した実施例の梱包部材１０と基本的には同様な構成であり、同一の構成部材には、同一の参照番号を付して、その詳細な説明を省略する。
【００８５】
この実施例の梱包部材１０は、図８〜図１１の実施例と同様に、一対の第１の梱包部材を構成する外径側梱包部材１０ａと、第２の梱包部材を構成する内径側梱包部材１０ｂとから構成されるものである。
【００８６】
但し、図１１の実施例では、外径側梱包部材１０ａと内径側梱包部材１０ｂとはいずれも長尺状であるのに対して、この実施例の梱包部材１０では、図１２に示すように外径側梱包部材１０ａと内径側梱包部材１０ｂとはいずれも、環状部材３０の外径、内径にそれぞれ合わせた寸法となるように、環状に形成されている。
【００８７】
このように構成される梱包部材１０については、図１３に示したように、基本的には、図９〜図１１の実施例に示した梱包部材と同様であるので、その詳細な説明を省略する。
【００８８】
但し、図９〜図１１の実施例に示した梱包部材１０では、梱包部材１０の両側端１２、１４の開口部１６、１８を、重ね合わせるようにしたが（符号１５）、この実施例では、外径側梱包部材１０ａと内径側梱包部材１０ｂとはいずれも、環状に形成されているので重ね合わせる必要がないように構成されている。
【００８９】
このように構成することによって、外径側梱包部材１０ａと内径側梱包部材１０ｂとの上端１１同士と下端１３同士とを脱着自在に封止するだけで、環状部材３０を梱包することできる。しかも、予め、外径側梱包部材１０ａと、内径側梱包部材１０ｂが環状であるので、梱包部材１０の両側端１２、１４の開口部１６、１８が存在しないので、梱包部材１０の両側端１２、１４の開口部１６、１８を重ね合わせる作業が不要で、外径側梱包部材１０ａと内径側梱包部材１０ｂとの上端１１同士と下端１３同士とを脱着自在に簡単に封止することができる。
【００９０】
従って、従来のように、手間や煩雑な工程が不要で、環状部材３０を軽量で簡単に梱包することができる。
しかも、環状部材３０を取り出す際には、上端１１または下端１３の脱着自在に封止した封止部２０のファスナー２８を操作して、その封止状態を解除するだけで、環状部材３０に傷をつけることなく、梱包部材１０を容易に取り外すことができる。
【００９１】
また、この際、梱包部材１０がゴミとなることもなく、再利用可能で環境に優しく、さらには、ガスケットなどにおいて、防錆油が落下したり、運搬の際に他に付着しないように包装できる。
【００９２】
なお、図８〜図１３に示した実施例の場合、第１の梱包部材を構成する外径側梱包部材１０ａが、環状部材３０の外径側または内径側に位置し、第２の梱包部材を構成する内径側梱包部材１０ｂが、第１の梱包部材を構成する外径側梱包部材１０ａと環状部材３０を挟んで対峙するように、環状部材３０の内径側または外径側に位置することが可能である。
【００９３】
また、図示しないが、梱包部材１０の第１の梱包部材を構成する外径側梱包部材１０ａが、環状部材３０の上面側または下面側に位置し、第１の梱包部材を構成する外径側梱包部材１０ａと環状部材３０を挟んで対峙するように、第２の梱包部材を構成する内径側梱包部材１０ｂが、環状部材３０の下面側または上面側に位置するようにして、短手方向の一端同士と短手方向の他端同士を環状部材３０の内径側または外径側に位置させて封止するようにすることも可能である。
【００９４】
さらに、図示しないが、梱包部材１０の第１の梱包部材を構成する外径側梱包部材１０ａが、環状部材３０の斜めに外径側に位置し、第２の梱包部材を構成する内径側梱包部材１０ｂが、環状部材３０を挟んで対峙するように斜めに、環状部材３０の斜めに内径側に位置するようにすることももちろん可能である。
【００９５】
また、本考案で対象とする環状部材３０は、リング状だけでなく、図示しないが、例えば、四角形状のような角部を有する環状部材であっても良い。
さらに、本考案で対象とする環状部材３０は、リング状だけでなく、例えば、「ＶＡＬＱＵＡ  ＨＡＮＤＢＯＯＫ  技術編、日本バルカー工業株式会社出版、平成１９年７月発行、Ｐ１５９」に記載されている形状のガスケット（Ｂ型〜Ｚ１型）にも適用することができる。
【００９６】
例えば、図１４の模式図に示したように、上記のＢ型のガスケットであれば、環状部材３０のリング状部３０ｃを梱包する梱包部材１０ｃと、環状部材３０の中央部３０ｄを梱包する梱包部材１０ｄのように、環状部材３０の形状に応じて、複数の梱包部材１０を適宜用いることによって、環状部材３０の全体を梱包部材１０で梱包することができる。
【００９７】
以上、本考案の好ましい実施の態様を説明してきたが、本考案はこれに限定されることはなく、例えば、上記実施例では、１つの環状部材３０を梱包部材１０で被包して梱包するように用いたが、複数の環状部材３０を重ねて、一度に梱包部材１０で被包して梱包するように用いることも、また、これをさらに梱包部材１０で被包して梱包することも可能であるなど本考案の目的を逸脱しない範囲で種々の変更が可能である。
【産業上の利用可能性】
【００９８】
本考案は、例えば、ガスケット、Ｏリング、コイルなどの環状部材の梱包部材に適用することができる。
【符号の説明】
【００９９】
１０   梱包部材
１０ａ 側片
１０ｂ 側片
１１   上端
１２、１４    両側端
１３   下端
１６、１８    開口部
２０   封止部
１０ａ 側片（外径側梱包部材）
１０ｂ 側片（内径側梱包部材）
２２   溝部
２４   メス突設部
２６   オス突設部
２８   ファスナー
３０   環状部材
３０ａ 外径側
３０ｂ 内径側
【図１】
0003188260.tif 000003
【図２】
0003188260.tif 000004
【図３】
0003188260.tif 000005
【図４】
0003188260.tif 000006
【図５】
0003188260.tif 000007
【図６】
0003188260.tif 000008
【図７】
0003188260.tif 000009
【図８】
0003188260.tif 000010
【図９】
0003188260.tif 000011
【図１０】
0003188260.tif 000012
【図１１】
0003188260.tif 000013
【図１２】
0003188260.tif 000014
【図１３】
0003188260.tif 000015
【図１４】
0003188260.tif 000016